(57)【要約】  テレビジョン受像機の動作モードが通常モードである場合、トリガ情報が記憶されたメモリカードがカード挿入部に挿入されると、映像表示部に店頭モード設定画面が表示される。また、テレビジョン受像機の動作モードが店頭モードである場合、電力供給検出部により電力の供給が検出されると、映像表示部に店頭モード解除画面が表示される。ユーザは、リモコンの操作により店頭モード設定画面および店頭モード解除確認画面上で各種選択および設定を行い、テレビジョン受像機の動作モードの切替を行う。
2008105179.tif 000002
【特許請求の範囲】
【請求項１】
少なくとも映像を出力する出力部と、
前記出力部の出力態様を調整するために使用者により操作される操作部と、
前記操作部の操作により前記出力部の出力態様が調整された場合に前記出力部の出力態様を調整された状態に維持する第１のモードと、前記出力部の出力態様が前記操作部の操作により調整された場合に前記出力部の出力態様を所定時間経過後に予め定められた状態に移行させる第２のモードとに前記出力部を選択的に制御する制御部と、
情報を記憶する記憶媒体が着脱自在に取り付けられる記憶媒体取り付け部とを備え、
前記制御部は、
前記出力部が前記第１のモードに設定されている場合に、前記第１および第２のモードの選択のための情報を記憶する記憶媒体が前記記憶媒体取り付け部に取り付けられたときに、前記第１および第２のモードのうち一方の選択を使用者に促す選択映像を前記出力部により出力させ、使用者により前記第２のモードが選択された場合に前記出力部を前記第２のモードに設定する、表示装置。
【請求項２】
前記記憶媒体は、メモリカードを含む、請求項１記載の表示装置。
【請求項３】
少なくとも映像を出力する出力部と、
前記出力部の出力態様を調整するために使用者により操作される操作部と、
前記操作部の操作により前記出力部の出力態様が調整された場合に前記出力部の出力態様を調整された状態に維持する第１のモードと、前記出力部の出力態様が前記操作部の操作により調整された場合に前記出力部の出力態様を所定時間経過後に予め定められた状態に移行させる第２のモードとに前記出力部を選択的に制御する制御部と、
電力の供給を検出する電力供給検出部とを備え、
前記制御部は、
前記出力部が前記第２のモードに設定されている場合に、前記電力供給検出部が電力の供給を検出したときに、前記第１および第２のモードのうち一方の選択を使用者に促す選択映像を前記出力部により出力させ、使用者により前記第１のモードが選択された場合に前記出力部を前記第１のモードに設定する、表示装置。
【請求項４】
前記制御部は、前記選択映像を前記出力部により出力させた後に予め定められた時間内に使用者による選択が行われない場合に、前記選択映像の表示を終了するとともに前記出力部を前記第２のモードに設定する、請求項３記載の表示装置。
【請求項５】
少なくとも映像を出力する出力部と、
前記出力部の出力態様を調整するために使用者により操作される操作部と、
前記操作部の操作により前記出力部の出力態様が調整された場合に前記出力部の出力態様を調整された状態に維持する第１のモードと、前記出力部の出力態様が前記操作部の操作により調整された場合に前記出力部の出力態様を所定時間経過後に予め定められた状態に移行させる第２のモードと、前記第１および第２のモードのうち一方の選択を使用者に促すための第３のモードに前記出力部を選択的に制御する制御部と、
電力の供給を検出する電力供給検出部とを備え、
前記制御部は、
前記出力部が前記第３のモードに設定されている場合に、前記電力供給検出部が電力の供給を検出したときに、前記第１および第２のモードのうち一方の選択を使用者に促す選択映像を前記出力部により出力させ、使用者による選択に基づいて前記出力部を前記第１および第２のモードのうち一方に設定する、表示装置。
【請求項６】
前記制御部は、使用者により第１および第２のモードのいずれかに選択が行われるまで前記選択映像を継続して前記出力部に出力させる、請求項５記載の表示装置。
【請求項７】
前記出力部は、映像を表示する映像表示部を含み、
前記出力部の出力態様は、前記映像表示部の画面に関する状態および映像表示に関する状態を含む、請求項１、３または５記載の表示装置。
【請求項８】
前記出力部は、音声を出力する音声出力部を含み、
前記出力部の出力態様は、前記音声出力部の音声出力の状態を含む、請求項１、３または５記載の表示装置。
【請求項９】
出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、
前記出力部が前記第１のモードに設定されている場合に、前記第１および第２のモードの選択のための情報を記憶する記憶媒体が記憶媒体取り付け部に取り付けられたときに、前記第１および第２のモードのうち一方の選択を使用者に促す選択映像を前記出力部により出力させるステップと、
使用者により前記第２のモードが選択された場合に前記出力部を前記第２のモードに設定するステップとを備える、表示装置の制御方法。
【請求項１０】
出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、
前記出力部が前記第２のモードに設定されている場合に、電力の供給が検出されたときに、前記第１および第２のモードのうち一方の選択を使用者に促す選択映像を前記出力部により出力させるステップと、
使用者により前記第１のモードが選択された場合に前記出力部を前記第１のモードに設定するステップとを備える、表示装置の制御方法。
【請求項１１】
出力部の出力態様が調整された場合に出力態様を調整された状態に維持する第１のモードと、出力部の出力態様が調整された場合に出力態様を所定時間経過後に予め定められた状態に移行させる第２のモードと、前記第１および第２のモードのうち一方の選択を使用者に促すための第３のモードとを有する表示装置の制御方法であって、
前記出力部が前記第３のモードに設定されている場合に、電力の供給が検出されたときに、前記第１および第２のモードのうち一方の選択を使用者に促す選択映像を前記出力部により出力させるステップと、
使用者による選択に基づいて前記出力部を前記第１および第２のモードのうち一方に設定するステップとを備える、表示装置の制御方法。
【発明の詳細な説明】
【技術分野】
【０００１】
本発明は、画面上に映像を表示する表示装置およびその制御方法に関する。
【背景技術】
【０００２】
通常、テレビジョン受像機等の表示装置では、使用者が画面のコントラスト等の各種表示状態を任意に調整することができる。【０００３】
一方、販売店等においては、商品の特性および魅力を顧客に十分に伝えるために、表示装置の画面の表示状態を特定の状態に設定しておくことが好ましい。【０００４】
そこで、一般家庭等における使用時に設定される動作モード（以下、通常モードと呼ぶ）と販売店等における使用時に設定される動作モード（以下、店頭モードと呼ぶ）とに切り替え可能な表示装置が提案されている（例えば特許文献１参照）。【０００５】
通常モードでは、使用者によって表示装置の画面の表示状態が変更された場合、変更後の状態が維持される。【０００６】
一方、店頭モードでは、所定の時間が経過する毎に画面の表示状態が店頭での展示に適切な特定の状態に戻される。【０００７】
この場合、展示されている表示装置の画面の表示状態が顧客によって好ましくない状態に変更されても、所定時間の経過後に画面の表示状態が適切な特定の状態に自動的に復帰する。
【特許文献１】特開２００６−２３８２５５号公報
【発明の開示】
【発明が解決しようとする課題】
【０００８】
しかしながら、従来の表示装置では、通常モードと店頭モードとを切り替えるために煩雑な操作を行う必要がある。例えば、動作モードを切り替えるためには、リモコンの特定のキーを特定の順序で押下するといった操作が必要になる。そのため、販売店において、動作モードを切り替える操作が非常に煩わしい。【０００９】
また、店頭に展示されていた表示装置が顧客により購入された場合、表示装置が誤って店頭モードに設定された状態で顧客に納品されることがある。通常、顧客に店頭モードから通常モードへ切り替える方法について説明はなされない。また、顧客が店頭モードの存在自体を知らない場合が多い。【００１０】
そのため、顧客は購入した表示装置を店頭モードに設定された状態のままで使用することになる。この場合、顧客が自らの嗜好または使用環境に応じて画面の表示状態を調整しても、所定時間毎に画面の表示状態が特定の状態に戻ってしまう。それにより、顧客が販売店または商品に対して不信感を抱くことになる。【００１１】
本発明の目的は、簡単な操作で通常の動作モードから特定の動作モードに切り替えることが可能な表示装置およびその制御方法を提供することである。【００１２】
本発明の他の目的は、簡単かつ確実に特定の動作モードから通常の動作モードに切り替えることが可能な表示装置およびその制御方法を提供することである。  本発明のさらに他の目的は、簡単かつ確実に特定の動作モードおよび通常の動作モードの一方の設定を行うことが可能な表示装置およびその制御方法を提供することである。
【課題を解決するための手段】
【００１３】
（１）本発明の一局面に従う表示装置は、少なくとも映像を出力する出力部と、出力部の出力態様を調整するために使用者により操作される操作部と、操作部の操作により出力部の出力態様が調整された場合に出力部の出力態様を調整された状態に維持する第１のモードと、出力部の出力態様が操作部の操作により調整された場合に出力部の出力態様を所定時間経過後に予め定められた状態に移行させる第２のモードとに出力部を選択的に制御する制御部と、情報を記憶する記憶媒体が着脱自在に取り付けられる記憶媒体取り付け部とを備え、制御部は、出力部が第１のモードに設定されている場合に、第１および第２のモードの選択のための情報を記憶する記憶媒体が記憶媒体取り付け部に取り付けられたときに、第１および第２のモードのうち一方の選択を使用者に促す選択映像を出力部により出力させ、使用者により第２のモードが選択された場合に出力部を第２のモードに設定するものである。【００１４】
この表示装置においては、少なくとも映像を出力する出力部が、制御部により第１のモードと第２のモードとに選択的に制御される。第１のモードでは、使用者が操作部を操作して出力部の出力態様を調整した場合、出力部の出力態様が調整された状態で維持される。第２のモードでは、使用者が操作部を操作して出力部の出力態様を調整した場合、出力部の出力態様が所定時間経過後に予め定められた状態に移行する。【００１５】
一般家庭等においては、出力部が第１のモードに設定されることにより、出力部の出力態様が使用者の嗜好および使用環境に応じて調整された状態で維持される。一方、販売店等においては、出力部が第２のモードに設定されることにより、顧客等によって出力部の出力態様が調整されても、所定時間の経過後に出力部の出力態様が予め定められた適切な状態に移行する。この場合、商品の特性および魅力を顧客等に十分に伝えることが可能になる。【００１６】
出力部が第１のモードに設定されている場合に、販売店等において、第１および第２のモードの選択のための情報を記憶する記憶媒体が記憶媒体取り付け部に取り付けられると、第１および第２のモードのうち一方の選択を店員等の使用者に促す選択映像が出力部により出力される。この選択映像において、店員等の使用者が第２のモードを選択すると、出力部が制御部により第２のモードに設定される。【００１７】
このように、簡単な操作で出力部を第１のモードから第２のモードに切り替えることができる。したがって、販売店等において、出力部を第２のモードに設定するための時間および労力を大幅に削減することができる。【００１８】
（２）記憶媒体は、メモリカードを含んでもよい。この場合、記憶媒体がコンパクトになり、取り扱いが容易となる。【００１９】
（３）本発明の他の局面に従う表示装置は、少なくとも映像を出力する出力部と、出力部の出力態様を調整するために使用者により操作される操作部と、操作部の操作により出力部の出力態様が調整された場合に出力部の出力態様を調整された状態に維持する第１のモードと、出力部の出力態様が操作部の操作により調整された場合に出力部の出力態様を所定時間経過後に予め定められた状態に移行させる第２のモードとに出力部を選択的に制御する制御部と、電力の供給を検出する電力供給検出部とを備え、制御部は、出力部が第２のモードに設定されている場合に、電力供給検出部が電力の供給を検出したときに、第１および第２のモードのうち一方の選択を使用者に促す選択映像を出力部により出力させ、使用者により第１のモードが選択された場合に出力部を第１のモードに設定するものである。【００２０】
この表示装置においては、少なくとも映像を出力する出力部が、制御部により第１のモードと第２のモードとに選択的に制御される。第１のモードでは、使用者が操作部を操作して出力部の出力態様を調整した場合、出力部の出力態様が調整された状態で維持される。第２のモードでは、使用者が操作部を操作して出力部の出力態様を調整した場合、出力部の出力態様が所定時間経過後に予め定められた状態に移行する。【００２１】
一般家庭等においては、出力部が第１のモードに設定されることにより、出力部の出力態様が使用者の嗜好および使用環境に応じて調整された状態で維持される。一方、販売店等においては、出力部が第２のモードに設定されることにより、顧客等によって出力部の出力態様が調整されても、所定時間の経過後に出力部の出力態様が予め定められた適切な状態に移行する。この場合、商品の特性および魅力を顧客等に十分に伝えることが可能になる。【００２２】
出力部が第２のモードに設定されている場合に、一般家庭等において、表示装置への電力の供給が電力供給検出部により検出されると、第１および第２のモードのうち一方の選択を使用者に促す選択映像が出力部により出力される。この選択映像において、使用者が第１のモードを選択すると、出力部が制御部により第１のモードに設定される。【００２３】
この場合、出力部が誤って第２のモードに設定された状態で表示装置が顧客等に納品されても、顧客等の使用者が最初に電源プラグを電源のコンセントに差し込んだときに、簡単かつ確実に出力部を第２のモードから第１のモードに切り替えることができる。【００２４】
（４）制御部は、選択映像を出力部により出力させた後に予め定められた時間内に使用者による選択が行われない場合に、選択映像の出力を終了するとともに出力部を第２のモードに設定してもよい。【００２５】
この場合、販売店等において、店員等がブレーカ等により一斉に表示装置への電力の供給を開始した際に選択映像が出力されても、第１および第２のモードのいずれも選択せずにそのまま放置することにより第２のモードを維持することができる。したがって、販売店等における店員等の負担が軽減される。【００２６】
（５）本発明のさらに他の局面に従う表示装置は、少なくとも映像を出力する出力部と、出力部の出力態様を調整するために使用者により操作される操作部と、操作部の操作により出力部の出力態様が調整された場合に出力部の出力態様を調整された状態に維持する第１のモードと、出力部の出力態様が操作部の操作により調整された場合に出力部の出力態様を所定時間経過後に予め定められた状態に移行させる第２のモードと、第１および第２のモードのうち一方の選択を使用者に促すための第３のモードに出力部を選択的に制御する制御部と、電力の供給を検出する電力供給検出部とを備え、制御部は、出力部が第３のモードに設定されている場合に、電力供給検出部が電力の供給を検出したときに、第１および第２のモードのうち一方の選択を使用者に促す選択映像を出力部により出力させ、使用者による選択に基づいて出力部を第１および第２のモードのうち一方に設定するものである。【００２７】
この表示装置においては、少なくとも映像を出力する出力部が、制御部により第１〜第３のモードに選択的に制御される。【００２８】
出力部が第３のモードに設定されている場合に、電力供給検出部が電力の供給を検出すると、第１および第２のモードのうち一方の選択を使用者に促す選択映像が出力部により出力される。この選択映像において、使用者が第１または第２のモードを選択する。それにより、出力部が制御部によって第１または第２のモードに設定される。【００２９】
この場合、例えば工場からの出荷時に出力部が第３のモードに設定されることにより、一般家庭または販売店等において初めて電力が供給されたときに選択映像が出力される。そのため、使用者が用途に応じて第１または第２のモードの選択および設定を容易かつ確実に行うことができる。【００３０】
第１のモードでは、使用者が操作部を操作して出力部の出力態様を調整した場合、出力部の出力態様が調整された状態で維持される。第２のモードでは、使用者が操作部を操作して出力部の出力態様を調整した場合、出力部の出力態様が所定時間経過後に予め定められた状態に移行する。【００３１】
一般家庭等においては、出力部が第１のモードに設定されることにより、出力部の出力態様が使用者の嗜好および使用環境に応じて調整された状態で維持される。一方、販売店等においては、出力部が第２のモードに設定されることにより、顧客等によって出力部の出力態様が調整されても、所定時間の経過後に出力部の出力態様が予め定められた適切な状態に移行する。この場合、商品の特性および魅力を顧客等に十分に伝えることが可能になる。【００３２】
（６）制御部は、使用者により第１および第２のモードのいずれかに選択が行われるまで選択映像を継続して出力部に出力させてもよい。【００３３】
この場合、時間の経過等によって出力部が自動的に第１または第２のモードに設定されることがなく、確実に使用者の選択によって出力部が第１または第２のモードに設定される。それにより誤ったモードに設定される可能性が著しく低くなる。【００３４】
（７）出力部は、映像を表示する映像表示部を含み、出力部の出力態様は、映像表示部の画面に関する状態および映像表示に関する状態を含んでもよい。【００３５】
この場合、第１のモードでは、使用者が操作部を操作して映像表示部の画面に関する状態または映像表示に関する状態を調整した場合、映像表示部の画面に関する状態および映像表示に関する状態が調整された状態で維持される。第２のモードでは、使用者が操作部を操作して映像表示部の画面に関する状態または映像表示に関する状態を調整した場合、映像表示部の画面に関する状態および映像表示に関する状態が所定時間経過後に予め定められた状態に移行する。【００３６】
（８）出力部は、音声を出力する音声出力部を含み、出力部の出力態様は、音声出力部の音声出力の状態を含んでもよい。【００３７】
この場合、第１のモードでは、使用者が操作部を操作して音声出力部の音声出力の状態を調整した場合、音声出力部の音声出力の状態が調整された状態で維持される。第２のモードでは、使用者が操作部を操作して音声出力部の音声出力の状態を調整した場合、音声出力部の音声出力の状態が所定時間経過後に予め定められた状態に移行する。【００３８】
（９）本発明のさらに他の局面に従う表示装置の制御方法は、出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、出力部が第１のモードに設定されている場合に、第１および第２のモードの選択のための情報を記憶する記憶媒体が記憶媒体取り付け部に取り付けられたときに、第１および第２のモードのうち一方の選択を使用者に促す選択映像を出力部により出力させるステップと、使用者により第２のモードが選択された場合に出力部を第２のモードに設定するステップと備えるものである。【００３９】
この表示装置の制御方法においては、出力部が第１のモードに設定されている場合に、販売店等において、第１および第２のモードの選択のための情報を記憶する記憶媒体が記憶媒体取り付け部に取り付けられると、第１および第２のモードのうち一方の選択を店員等の使用者に促す選択映像が出力部により出力される。この選択映像において、店員等の使用者が第２のモードを選択すると、出力部が第２のモードに設定される。【００４０】
このように、簡単な操作で出力部を第１のモードから第２のモードに切り替えることができる。したがって、販売店等において、出力部を第２のモードに設定するための時間および労力を大幅に削減することができる。【００４１】
（１０）本発明のさらに他の局面に従う表示装置の制御方法は、出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、出力部が第２のモードに設定されている場合に、電力の供給が検出されたときに、第１および第２のモードのうち一方の選択を使用者に促す選択映像を出力部により出力させるステップと、使用者により第１のモードが選択された場合に出力部を第１のモードに設定するステップとを備えるものである。【００４２】
この表示装置の制御方法においては、出力部が第２のモードに設定されている場合に、一般家庭等において、表示装置への電力の供給が検出されると、第１および第２のモードのうち一方の選択を使用者に促す選択映像が出力部により出力される。この選択映像において、使用者が第１のモードを選択すると、出力部が第１のモードに設定される。【００４３】
この場合、出力部が誤って第２のモードに設定された状態で表示装置が顧客等に納品されても、顧客等の使用者が最初に電源プラグを電源のコンセントに差し込んだときに、簡単かつ確実に出力部を第２のモードから第１のモードに切り替えることができる。【００４４】
（１１）本発明のさらに他の局面に従う表示装置の制御方法は、出力部の出力態様が調整された場合に出力態様を調整された状態に維持する第１のモードと、出力部の出力態様が調整された場合に出力態様を所定時間経過後に予め定められた状態に移行させる第２のモードと、前記第１および第２のモードのうち一方の選択を使用者に促すための第３のモードとを有する表示装置の制御方法であって、前記出力部が前記第３のモードに設定されている場合に、電力の供給が検出されたときに、前記第１および第２のモードのうち一方の選択を使用者に促す選択映像を前記出力部により出力させるステップと、使用者による選択に基づいて前記出力部を前記第１および第２のモードのうち一方に設定するステップとを備えるものである。【００４５】
この表示装置の制御方法においては、出力部が第３のモードに設定されている場合に、表示装置への電力の供給が検出されると、第１および第２のモードのうち一方の選択を使用者に促す選択映像が出力部により出力される。この選択映像において、使用者が第１または第２のモードを選択する。それにより、出力部が第１または第２のモードに設定される。【００４６】
この場合、例えば工場からの出荷時に出力部が第３のモードに設定されることにより、一般家庭または販売店等において初めて電力が供給されたときに選択映像が出力される。そのため、使用者が用途に応じて第１または第２のモードの選択および設定を容易かつ確実に行うことができる。
【発明の効果】
【００４７】
本発明によれば、簡単な操作で出力部を第１のモードから第２のモードに切り替えることができる。したがって、販売店等において、出力部を第２のモードに設定するための時間および労力を大幅に削減することができる。【００４８】
また、出力部が誤って第２のモードに設定された状態で表示装置が顧客等に納品されても、顧客等の使用者が最初に電源プラグを電源のコンセントに差し込んだときに、簡単かつ確実に出力部を第２のモードから第１のモードに切り替えることができる。【００４９】
また、一般家庭または販売店等において初めて電力が供給されたときに、使用者が用途に応じて第１または第２のモードの選択および設定を容易かつ確実に行うことができる。
【図面の簡単な説明】
【００５０】
【図１】図１は本実施の形態に係るテレビジョン受像機の構成を示すブロック図
【図２】図２は店頭モード設定画面の一例を示す図
【図３】図３はシステム制御部による店頭モード設定処理を示すフローチャート
【図４】図４は店頭モード解除確認画面の一例を示す図
【図５】図５はシステム制御部による店頭モード解除処理を示すフローチャート
【図６】図６はモード選択画面の一例を示す図
【図７】図７はシステム制御部による動作モード選択処理を示すフローチャート
【図８】図８はシステム制御部による動作モード選択処理を示すフローチャート
【発明を実施するための最良の形態】
【００５１】
以下、本発明の実施の形態に係る表示装置の一例として、テレビジョン受像機について図面を参照しながら説明する。【００５２】
（１）第１の実施の形態
（１−１）テレビジョン受像機の構成
図１は、本実施の形態に係るテレビジョン受像機の構成を示すブロック図である。図１に示すように、テレビジョン受像機１００は、チューナ１、音声出力部２、映像表示部３、電力供給検出部５、リモコン受信部６、カード挿入部７、カード挿入検出部８、カード情報検出部９、タイマ１０、システムメモリ１１、店頭モード実行部１２、ＯＳＤ処理部１３およびシステム制御部５０を備える。【００５３】
チューナ１は、後述するシステム制御部５０からの制御に基づき、放送局から送信されるテレビジョン放送信号（例えばデジタル放送信号）の周波数を選択することにより選局を行う。また、チューナ１は、選局したテレビジョン放送信号から映像信号および音声信号を復調および復号して出力する。【００５４】
音声出力部２は、音声スピーカ等を含み、チューナ１から出力された音声信号に基づいて音声を出力する。映像表示部３は、液晶ディスプレイまたはプラズマディスプレイパネル等の表示パネルを含み、チューナ１から出力された映像信号に基づいて画面に映像を出力する。【００５５】
電力供給検出部５は、ＡＣ電源からの電力の供給を検出し、その検出結果を検出信号として出力する。例えば、図示しない電源プラグをＡＣ電源のコンセントに差し込むことによりテレビジョン受像機１００に電力が供給される。リモコン受信部６は、リモコン６ａからの赤外線信号を受信し、赤外線信号に基づく操作信号を出力する。【００５６】
カード挿入部７には、ＳＤ(Secure Digital Memory)カード等のメモリカード７ａが挿入される。本実施の形態で用いられるメモリカード７ａには、後述の店頭モード設定処理のトリガとなる情報（以下、トリガ情報と呼ぶ）が記憶される。【００５７】
カード挿入検出部８は、カード挿入部７にメモリカード７ａが挿入されているか否かを検出し、その検出結果を検出信号として出力する。カード情報検出部９は、カード挿入部７に挿入されたメモリカード７ａに記憶される情報を検出し、その検出結果を検出信号として出力する。【００５８】
タイマ１０は、システム制御部５０による制御に従って動作し、所定の時点からの経過時間を計測する。システムメモリ１１は、テレビジョン受像機１００の動作モードに関する種々の情報（以下、動作モード情報と呼ぶ）を記憶する。後述のように、テレビジョン受像機１００は動作モードとして店頭モードと通常モードとを有する。【００５９】
店頭モード実行部１２は、テレビジョン受像機１００の動作モードが店頭モードである場合に、タイマ１０による計測値およびシステムメモリ１１に記憶された動作モード情報に基づいてチューナ１、音声出力部２および映像表示部３に所定の処理を行う。詳細は後述する。【００６０】
ＯＳＤ処理部１３は、システム制御部５０による制御にしたがって、映像表示部３の画面にオンスクリーン表示（ＯＳＤ）を行う。【００６１】
システム制御部５０は、ＣＰＵ（中央演算処理装置）およびメモリ等からなり、テレビジョン受像機１００の各機能部を制御する。本実施の形態では、トリガ情報が記憶されたメモリカード７ａがカード挿入部７に挿入されると、システム制御部５０が後述の店頭モード設定処理を行う。この場合、システム制御部５０は、カード挿入検出部８からの検出信号、カード情報検出部９からの検出信号およびリモコン受信部６からの操作信号に基づいて、店頭モード実行部１２およびＯＳＤ処理部１３を制御する。【００６２】
また、電力供給検出部５がテレビジョン受像機１００への電力の供給を検出すると、システム制御部５０は後述の店頭モード解除処理を行う。この場合、システム制御部５０は、電力供給検出部５からの検出信号、リモコン受信部６からの操作信号およびタイマ１０による計測値に基づいて、店頭モード実行部１２およびＯＳＤ処理部１３を制御する。【００６３】
（１−２）テレビジョン受像機の動作モード
ここで、テレビジョン受像機１００の動作モードについて説明する。上記のように、テレビジョン受像機１００は、動作モードとして、店頭モードと通常モードとを有する。【００６４】
通常モードでは、使用者によりリモコン６ａを用いて設定された映像表示部３の表示状態および音声出力部２の出力状態が維持される。ここで、映像表示部３の表示状態とは、画面のコントラスト、輝度、鮮明度等の画面に関する状態、および画面に表示されるべき映像のチャンネル、受信信号の種類等の映像表示に関する状態を含む。また、音声出力部２の出力状態とは、音量、音質、ミュート（無音状態）等の音声出力に関する状態を含む。以下、映像表示部３の表示状態および音声出力部２の出力状態を出力態様と呼ぶ。【００６５】
店頭モードでは、出力態様がテレビジョン受像機１００の店頭での展示に適した特定の状態に設定され、使用者により出力態様が調整された場合には規定時間（例えば５分）の経過後に出力態様が特定の状態に復帰する。【００６６】
なお、上記の規定時間（以下、復帰間隔と呼ぶ）、ならびに上記の出力態様の特定の状態（以下、復帰状態と呼ぶ）は、システムメモリ１１に動作モード情報として記憶される。また、システムメモリ１１には、動作モード情報としてテレビジョン受像機１００の現在の動作モードも記憶される。【００６７】
以下、通常モードから店頭モードへの切替方法および店頭モードから通常モードへの切替方法について説明する。【００６８】
（１−３）通常モードから店頭モードへの切替
テレビジョン受像機１００の動作モードが通常モードである場合、トリガ情報が記憶されたメモリカード７ａがカード挿入部７に挿入されると、映像表示部３に店頭モード設定画面が表示される。使用者は、リモコン６ａの操作により店頭モード設定画面上で各種選択および設定を行う。【００６９】
図２は、店頭モード設定画面の一例を示す図である。図２に示すように、店頭モード設定画面Ｄ１は、オンオフ選択部２１、受信信号設定部２２、チャンネル設定部２３、音量設定部２４、および復帰間隔設定部２５から構成される。【００７０】
使用者は、オンオフ選択部２１においてテレビジョン受像機１００の動作モードを店頭モードにするか否かを選択する。オンオフ選択部２１においてオンが選択されると、テレビジョン受像機１００の動作モードが通常モードから店頭モードに切り替わり、オフが選択されると通常モードに維持される。【００７１】
また、使用者は、出力態様の復帰状態として、受信信号設定部２２において受信信号の種類を設定し、チャンネル設定部２３においてチャンネルを設定し、音量設定部２４において音量を設定する。また、使用者は、復帰間隔設定部２５において復帰間隔を設定する。これらの各設定を完了すると、使用者は、例えばリモコン６ａのＥｘｉｔキーまたはＲｅｔｕｒｎキーを押下することにより店頭モード表示画面Ｄ１の表示を終了させる。なお、例えばリモコン６ａの操作により、選局が行われた場合、入力切換が行われた場合、またはメニュー等の他のＯＳＤ画面が表示された場合にも店頭モード設定画面Ｄ１の表示が終了する。【００７２】
図２の例においては、受信信号の種類がＲＦ信号に設定され、チャンネルが１０１−１に設定され、音量が２０に設定され、復帰間隔が５分に設定されている。【００７３】
なお、図２の例では、店頭モード設定画面Ｄ１において受信信号の種類、チャンネルならびに音量が設定されるが、画面のコントラスト等の他の復帰状態が店頭モード設定画面Ｄ１において設定されてもよい。【００７４】
図３は、システム制御部５０による店頭モード設定処理を示すフローチャートである。図３に示すように、まず、システム制御部５０はカード挿入検出部８からの検出信号に基づいてカード挿入部７にメモリカード７ａが挿入されたか否かを判定する（ステップＳ１）。カード挿入部７にメモリカード７ａが挿入されていない場合、システム制御部５０は、ステップＳ１の処理を繰り返す。【００７５】
カード挿入部７にメモリカード７ａが挿入された場合、システム制御部５０は、カード情報検出部９からの検出信号に基づいて、挿入されたメモリカード７ａにトリガ情報が記憶されているか否かを判定する（ステップＳ２）。【００７６】
メモリカード７ａにトリガ情報が記憶されていない場合、システム制御部５０は、店頭モード設定処理を終了する。メモリカード７ａにトリガ情報が記憶されている場合、システム制御部５０は、システムメモリ１１に記憶されている動作モード情報に基づいて、現在の動作モードが店頭モードであるか否かを判定する（ステップＳ３）。【００７７】
現在の動作モードが店頭モードである場合、システム制御部５０は、動作モードを店頭モードに維持して店頭モード設定処理を終了する。現在の動作モードが通常モードである場合、システム制御部５０は、ＯＳＤ処理部１３を制御することにより、映像表示部３に図２の店頭モード設定画面Ｄ１を表示する（ステップＳ４）。【００７８】
続いて、システム制御部５０は、店頭モード設定画面Ｄ１の表示を終了させるための操作が行われたか否かを判定する（ステップＳ５）。店頭モード設定画面Ｄ１の表示を終了させるための操作とは、上記のように、例えばリモコン６ａのＥｘｉｔキーまたはＲｅｔｕｒｎキーの押下、選局、入力切換、またはメニュー等の他のＯＳＤ画面の表示等の操作をいう。店頭モード設定画面Ｄ１の表示を終了させるための操作が行われていない場合、システム制御部５０は、ステップＳ５の処理を繰り返す。【００７９】
店頭モード設定画面Ｄ１の表示を終了させるための操作が行われた場合、システム制御部５０は、店頭モード設定画面Ｄ１のオンオフ選択部２１においてオンが選択されたか否かを判定する（ステップＳ６）。オンオフ選択部２１においてオンが選択されていない場合、すなわちオフが選択された場合、システム制御部５０は、動作モードを通常モードに維持して店頭モード設定処理を終了する。オンオフ選択部２１においてオンが選択された場合、システム制御部５０は、動作モードを店頭モードに切り替える（ステップＳ７）。すなわち、システム制御部５０は、システムメモリ１１に記憶される現在の動作モードを店頭モードに更新するとともに、店頭モード設定画面Ｄ１において設定された受信信号の種類、チャンネル、音量、および復帰間隔をシステムメモリ１１に記憶させる。そして、システム制御部５０は店頭モード設定処理を終了する。【００８０】
（１−４）店頭モードから通常モードへの切り替え
テレビジョン受像機１００の動作モードが店頭モードである場合、電力供給検出部５がテレビジョン受像機１００への電力の供給を検出すると、映像表示部３に店頭モード解除確認画面が表示される。使用者は、リモコン６ａの操作により店頭モード解除確認画面上で各種選択および設定を行う。【００８１】
図４は、店頭モード解除確認画面の一例を示す図である。図４に示すように、店頭モード解除確認画面Ｄ２は、オンボタン３１およびオフボタン３２を含む。この店頭モード解除確認画面Ｄ２において、使用者がオンボタン３１を選択すると、動作モードが店頭モードに維持され、使用者がオフボタン３２を選択すると、動作モードが通常モードに切り替わる。なお、オンボタン３１またはオフボタン３２の選択は、例えば使用者がリモコン６ａのＯＫキーを押下することにより確定する。【００８２】
なお、使用者がオンボタン３１およびオフボタン３２のいずれも選択せずに放置すると、自動的に店頭モード解除確認画面Ｄ２が閉じられる。この場合、動作モードが店頭モードで維持される。【００８３】
図５は、システム制御部５０による店頭モード解除処理を示すフローチャートである。図５に示す店頭モード解除処理は、電力供給検出部５がテレビジョン受像機１００への電力の供給を検出したときに開始される。【００８４】
電力供給検出部５がテレビジョン受像機１００への電力の供給を検出した場合、システム制御部５０は、システムメモリ１１に記憶されている動作モード情報に基づいて、現在の動作モードが店頭モードであるか否かを判定する（ステップＳ１１）。現在の動作モードが店頭モードでない場合、システム制御部５０は、動作モードを通常モードに維持して店頭モード解除処理を終了する。現在の動作モードが店頭モードである場合、システム制御部５０は、ＯＳＤ処理部１３を制御することにより、映像表示部３に図４の店頭モード解除確認画面Ｄ２を表示する（ステップＳ１２）。【００８５】
続いて、システム制御部５０は、店頭モード解除確認画面Ｄ２においてオンボタン３１が選択された状態でリモコン６ａのＯＫキーが押下されたか否かを判定する（ステップＳ１３）。オンボタン３１が選択された状態でリモコン６ａのＯＫキーが押下された場合、システム制御部５０は、動作モードを店頭モードに維持して店頭モード解除処理を終了する。オンボタン３１が選択された状態でリモコン６ａのＯＫキーが押下されていない場合、システム制御部５０は、オフボタン３２が選択された状態でリモコン６ａのＯＫキーが押下されたか否かを判定する（ステップＳ１４）。オフボタン３２が選択された状態でリモコン６ａのＯＫキーが押下された場合、システム制御部５０は、動作モードを通常モードに切り替える（ステップＳ１５）。すなわち、システム制御部５０は、システムメモリ１１に記憶される現在の動作モードを通常モードに更新する。そして、システム制御部５０は店頭モード解除処理を終了する。【００８６】
リモコン６ａのＯＫキーが押下されていない場合、システム制御部５０は、タイマ１０による計測値に基づいて、店頭モード解除確認画面Ｄ２を表示してから規定時間（例えば３０秒）が経過したか否かを判定する（ステップＳ１６）。なお、この規定時間は例えばシステムメモリ１１に予め記憶される。【００８７】
規定時間が経過していない場合、システム制御部５０は、ステップＳ１３の処理に戻る。規定時間が経過した場合、システム制御部５０は、動作モードを店頭モードに維持したまま店頭モード解除確認画面Ｄ２を閉じるとともに、店頭モード解除処理を終了する。【００８８】
（１−５）本実施の形態の効果
本実施の形態では、メモリカード７ａをカード挿入部７に挿入するとともに、映像出力部３に表示される店頭モード設定画面Ｄ１のオンオフ選択部２１でオンを選択することより、テレビジョン受像機１００の動作モードを通常モードから店頭モードに切り替えることができる。この場合、簡単な操作でテレビジョン受像機１００の動作モードを店頭モードに切り替えることができるので、販売店等において、店頭モードへの切替のための時間および労力を大幅に削減することができる。【００８９】
また、本実施の形態では、テレビジョン受像機１００への電力の供給が検出されたときに、テレビジョン受像機１００の現在の動作モードが店頭モードであれば、通常モードへ切り替えるか否かを確認するための店頭モード解除確認画面Ｄ２が映像出力部３に表示される。そのため、誤って店頭モードに設定された状態のテレビジョン受像機１００が顧客に納品されても、顧客が最初に電源プラグをＡＣ電源のコンセントに差し込んだときに、店頭モード解除確認画面Ｄ２が映像出力部３に表示される。それにより、顧客が簡単かつ確実にテレビジョン受像機１００の動作モードを店頭モードから通常モードに切り替えることができる。したがって、顧客が店頭モードに設定されていることを知らずにテレビジョン受像機１００を使用することが防止される。【００９０】
また、店頭モード解除確認画面Ｄ２が表示された場合、規定時間内に使用者が動作モードを通常モードに切り替えるか否かを選択しない場合には、動作モードが店頭モードに維持されたままで店頭モード解除確認画面Ｄ２が閉じられる。そのため、販売店等において、テレビジョン受像機１００の動作モードを継続的に店頭モードに設定する場合には、電力の供給を検出することにより店頭モード解除確認画面Ｄ２が表示されても、何も操作を行わずにそのまま放置することにより店頭モードが維持される。したがって、販売店等の店員の負担が軽減される。【００９１】
また、動作モードを店頭モードから通常モードに切り替えるためには、少なくともテレビジョン受像機１００への電力の供給を一旦停止する必要がある。そのため、販売店等において、販売の妨害等を目的として動作モードが店頭モードから通常モードに勝手に切り替えられることが防止される。【００９２】
（２）第２の実施の形態
次に、本発明の第２の実施の形態について上記第１の実施の形態と異なる点を説明する。本実施の形態では、工場からの出荷時に、テレビジョン受像機１００が出荷モードに設定される。そして、販売店または一般家庭等においてテレビジョン受像機１００に初めて電力が供給されたときに、システム制御部５０により後述の動作モード選択処理が行われる。電力の供給時にテレビジョン受像機１００が出荷モードまたは動作モードであると、映像表示部３にモード選択画面が表示される。使用者は、リモコン６ａ等の操作により、モード選択画面上でテレビジョン受像機１００の動作モードの選択を行う。【００９３】
図６は、モード選択画面の一例を示す図である。図６に示すように、モード選択画面Ｄ３は、“ＨＯＭＥ”ボタン４１および“ＳＴＯＲＥ”ボタン４２を含む。このモード選択画面Ｄ３上において、使用者が“ＨＯＭＥ”ボタン４１および“ＳＴＯＲＥ”ボタン４２のいずれかを選択する。それにより、テレビジョン受像機１００の動作モードが通常モードまたは店頭モードに選択される。【００９４】
図７〜図８は、システム制御部５０による動作モード選択処理を示すフローチャートである。【００９５】
図７に示すように、テレビジョン受像機１００に電力が供給されたことを電力供給検出部５が検出すると、システム制御部５０は、システムメモリ１１に記憶されている動作モード情報に基づいて、動作モードが出荷モードであるか否かを判定する（ステップＳ２１，Ｓ２２）。【００９６】
動作モードが出荷モードでない場合、システム制御部５０は、後述のステップＳ３３の処理を行う。動作モードが出荷モードである場合、システム制御部５０は、映像表示部３に図６のモード選択画面Ｄ３を表示する（ステップＳ２３）。【００９７】
続いて、システム制御部５０は、モード選択画面Ｄ３上で“ＨＯＭＥ”ボタン４１が選択されたか否かを判定する（ステップＳ２４）。“ＨＯＭＥ”ボタン４１が選択された場合、システム制御部５０は、後述のステップＳ３０の処理を行う。【００９８】
“ＨＯＭＥ”ボタン４１が選択されていない場合、システム制御部５０は、“ＳＴＯＲＥ”ボタン４２が選択されたか否かを判定する（ステップＳ２５）。【００９９】
“ＳＴＯＲＥ”ボタン４２が選択されていない場合、システム制御部５０はステップＳ２４およびステップＳ２５の処理を繰り返す。すなわち、 “ＨＯＭＥ”ボタン４１および“ＳＴＯＲＥ”ボタン４２のいずれかが選択されるまで、システム制御部５０は継続してモード選択画面Ｄ３を表示する。【０１００】
“ＳＴＯＲＥ”ボタン４２が選択された場合、システム制御部５０は、映像表示部３に図２の店頭モード設定画面Ｄ１を表示する（ステップＳ２６）。店頭モード設定画面Ｄ１上では、上記のように、使用者が店頭モードのオンオフの選択および出力態様の復帰状態の設定等を行う。【０１０１】
続いて、システム制御部５０は、店頭モード設定画面Ｄ１上で店頭モードが選択されたか否かを判定する（ステップＳ２７）。この場合、店頭モード設定画面Ｄ１のオンオフ選択部２１でオンが選択されると店頭モードが選択され、オフが選択されると通常モードが選択される。店頭モードが選択された場合、システム制御部５０は、動作モードを店頭モードに設定する（ステップＳ２８）。それにより、テレビジョン受像機１００が店頭モードとして動作する（ステップＳ２９）。【０１０２】
ステップＳ２４で“ＨＯＭＥ”ボタン４１が選択された場合、またはステップＳ２７で通常モードが選択された場合、システム制御部５０は、動作モードを通常モードに設定する（ステップＳ３０）。続いて、システム制御部５０は、映像表示部３に通常モード用の初期設定画面（図示せず）を表示する（ステップＳ３１）。この初期設定画面上で、使用者は、言語の設定または視聴可能なチャンネルの周波数の自動検出（オートスキャン）等を行う。そして、テレビジョン受像機１００が通常モードとして動作する（ステップＳ３２）。【０１０３】
ステップＳ２２で動作モードが出荷モードでない場合、図８に示すように、システム制御部５０は、動作モードが店頭モードであるか否かを判定する（ステップＳ３３）。動作モードが店頭モードでない場合、すなわち動作モードが通常モードである場合、テレビジョン受像機１００が通常モードとして継続して動作する（ステップＳ３２）。なお、通常モードから店頭モードへの切り替えは、例えば上記第１の実施の形態と同様に、メモリカード７ａを用いた操作により行うことができる。【０１０４】
ステップＳ３３で動作モードが店頭モードである場合、システム制御部５０は、映像表示部３に図６のモード選択画面Ｄ３を表示する（ステップＳ３４）。続いて、システム制御部５０は、モード選択画面Ｄ３上で“ＨＯＭＥ”ボタン４１が選択されたか否かを判定する（ステップＳ３５）。“ＨＯＭＥ”ボタン４１が選択された場合、システム制御部５０は、ステップＳ３０〜Ｓ３２の処理を行う。【０１０５】
“ＨＯＭＥ”ボタン４１が選択されていない場合、システム制御部５０は、“ＳＴＯＲＥ”ボタン４２が選択されたか否かを判定する（ステップＳ３６）。“ＳＴＯＲＥ”ボタン４２が選択された場合、システム制御部５０が動作モードを店頭モードに維持したままモード選択画面Ｄ３を閉じる。そして、テレビジョン受像機１００が店頭モードとして継続して動作する（ステップＳ２９）。【０１０６】
なお、“ＳＴＯＲＥ”ボタン４２が選択された場合に、システム制御部５０がステップＳ２６の処理に戻り、映像表示部３に再度店頭モード設定画面Ｄ１を表示してもよい。【０１０７】
“ＳＴＯＲＥ”ボタン４２が選択されていない場合、システム制御部５０は、タイマ１０による計測値に基づいて、モード選択画面Ｄ３を表示してから規定時間（例えば６０秒）が経過したか否かを判定する（ステップＳ３７）。なお、この規定時間は例えばシステムメモリ１１に予め記憶される。【０１０８】
規定時間が経過していない場合、システム制御部５０は、ステップＳ３５およびステップＳ３６の処理に戻る。規定時間が経過した場合、システム制御部５０が動作モードを店頭モードに維持したままモード選択画面Ｄ３を閉じる。そして、テレビジョン受像機１００が店頭モードとして継続して動作する（ステップＳ２９）。【０１０９】
本実施の形態のテレビジョン受像機１００においては、工場からの出荷時に動作モードが出荷モードに設定されると、初めて電力が供給されたときに、動作モードの選択を行うためのモード選択画面Ｄ３が映像表示部３に表示される。そのため、適正な動作モードの設定をより容易に行うことができる。特に、販売店等において店員が動作モードを店頭モードに設定することがより容易になる。【０１１０】
また、最初の電力供給時に表示されるモード選択画面Ｄ３は、使用者によって“ＨＯＭＥ”ボタン４１および“ＳＴＯＲＥ”ボタン４２のいずれかが選択されるまで継続して表示される。すなわち、時間の経過によって自動的に動作モードの選択が行われることがない。それにより、誤った動作モードに設定される可能性が著しく低くなる。【０１１１】
また、動作モードが店頭モードに設定されている状態では、一旦電力の供給が停止され、その後電力の供給が再開されると、その度に映像表示部３にモード選択画面Ｄ３が表示される。そのため、店頭モードに設定された状態のテレビジョン受像機１００が顧客に納品された場合、または顧客が誤って動作モードを店頭モードに設定した場合に、顧客が簡単かつ確実に動作モードを店頭モードから通常モードに切り替えることができる。【０１１２】
（３）他の実施の形態
上記第１および第２の実施の形態において、動作モードが店頭モードに設定されると、電力の供給と同時にテレビジョン受像機１００の電源スイッチがオンするように設定してもよい。この場合、例えば販売店でブレーカを操作して複数のテレビジョン受像機１００に一斉に電力を供給する場合に、複数のテレビジョン受像機１００の電源スイッチを同時にオンすることができる。それにより、店員等の使用者の負担がより軽減される。【０１１３】
また、上記第１および第２の実施の形態において、カード挿入部７にＬＥＤ（発光ダイオード）等の発光部を設け、動作モードが店頭モードに設定されると、その発光部が常時点灯または点滅するように設定してもよい。通常、このような発光部はメモリカード７ａが挿入されている場合しか点灯しない。そこで、店頭モードにおいてこのような発光部を常時点灯または点滅させることにより、テレビジョン受像機１００がメモリカード７ａを装着可能であることを顧客等の使用者に通知することができる。【０１１４】
また、上記実施の形態では、本発明をテレビジョン受像機に適用した場合を示したが、これに限らず、本発明をパーソナルコンピュータのモニタ装置またはディスプレイ付ＤＶＤ（デジタルバーサタイルディスク）再生装置等の表示媒体を有する他の表示装置に適用してもよい。【０１１５】
また、上記実施の形態では、着脱自在の記憶媒体としてメモリカード７ａを用いているが、これに限らず、ＤＶＤ、ＣＤ（コンパクトディスク）、ＩＣ（集積回路）カードまたはＩＣタグ等の他の記憶媒体を用いてもよい。【０１１６】
また、カード情報検出部９、タイマ１０、システムメモリ１１、店頭モード実行部１２、ＯＳＤ処理部１３およびシステム制御部５０は、電子回路等のハードウェアにより実現してもよく、あるいはこれらの構成要素のうち一部または全てをＣＰＵ等のハードウェアとプログラム等のソフトウェアにより実現してもよい。【０１１７】
（４）請求項の各構成要素と実施の形態の各要素との対応
以下、請求項の各構成要素と実施の形態の各要素との対応の例について説明するが、本発明は下記の例に限定されない。【０１１８】
上記実施の形態では、音声出力部２および映像表示部３が出力部の例であり、リモコン６ａが操作部の例であり、通常モードが第１のモードの例であり、店頭モードが第２のモードの例であり、出荷モードが第３のモードの例であり、店頭モード実行部１２およびシステム制御部５０が制御部の例であり、カード挿入部７が記憶媒体取り付け部の例であり、メモリカード７ａが記憶媒体の例であり、電力供給検出部５が電力供給検出部の例である。【０１１９】
請求項の各構成要素として、請求項に記載されている構成または機能を有する他の種々の要素を用いることもできる。
【産業上の利用可能性】
【０１２０】
本発明は、表示媒体を有する種々の表示装置に利用することができる。
【図１】
2008105179.tif 000003
【図２】
2008105179.tif 000004
【図３】
2008105179.tif 000005
【図４】
2008105179.tif 000006
【図５】
2008105179.tif 000007
【図６】
2008105179.tif 000008
【図７】
2008105179.tif 000009
【図８】
2008105179.tif 000010
【手続補正書】
【提出日】平成21年8月17日(2009.8.17)
【手続補正１】
【補正対象書類名】明細書
【補正対象項目名】全文
【補正方法】変更
【補正の内容】
【発明の詳細な説明】
【技術分野】
【０００１】
本発明は、画面上に映像を表示する表示装置およびその制御方法に関する。
【背景技術】
【０００２】
通常、テレビジョン受像機等の表示装置では、使用者が画面のコントラスト等の各種表示状態を任意に調整することができる。
【０００３】
一方、販売店等においては、商品の特性および魅力を顧客に十分に伝えるために、表示装置の画面の表示状態を特定の状態に設定しておくことが好ましい。
【０００４】
そこで、一般家庭等における使用時に設定される動作モード（以下、通常モードと呼ぶ）と販売店等における使用時に設定される動作モード（以下、店頭モードと呼ぶ）とに切り替え可能な表示装置が提案されている（例えば特許文献１参照）。
【０００５】
通常モードでは、使用者によって表示装置の画面の表示状態が変更された場合、変更後の状態が維持される。
【０００６】
一方、店頭モードでは、所定の時間が経過する毎に画面の表示状態が店頭での展示に適切な特定の状態に戻される。
【０００７】
この場合、展示されている表示装置の画面の表示状態が顧客によって好ましくない状態に変更されても、所定時間の経過後に画面の表示状態が適切な特定の状態に自動的に復帰する。
【先行技術文献】
【特許文献】
【０００８】
【特許文献１】特開２００６−２３８２５５号公報
【発明の概要】
【発明が解決しようとする課題】
【０００９】
しかしながら、従来の表示装置では、通常モードと店頭モードとを切り替えるために煩雑な操作を行う必要がある。例えば、動作モードを切り替えるためには、リモコンの特定のキーを特定の順序で押下するといった操作が必要になる。そのため、販売店において、動作モードを切り替える操作が非常に煩わしい。
【００１０】
また、店頭に展示されていた表示装置が顧客により購入された場合、表示装置が誤って店頭モードに設定された状態で顧客に納品されることがある。通常、顧客に店頭モードから通常モードへ切り替える方法について説明はなされない。また、顧客が店頭モードの存在自体を知らない場合が多い。
【００１１】
そのため、顧客は購入した表示装置を店頭モードに設定された状態のままで使用することになる。この場合、顧客が自らの嗜好または使用環境に応じて画面の表示状態を調整しても、所定時間毎に画面の表示状態が特定の状態に戻ってしまう。それにより、顧客が販売店または商品に対して不信感を抱くことになる。
【００１２】
本発明の目的は、簡単な操作で通常の動作モードから特定の動作モードに切り替えることが可能な表示装置およびその制御方法を提供することである。
【００１３】
本発明の他の目的は、簡単かつ確実に特定の動作モードから通常の動作モードに切り替えることが可能な表示装置およびその制御方法を提供することである。  本発明のさらに他の目的は、簡単かつ確実に特定の動作モードおよび通常の動作モードの一方の設定を行うことが可能な表示装置およびその制御方法を提供することである。
【課題を解決するための手段】
【００１４】
（１）本発明の一局面に従う表示装置は、少なくとも映像を出力する出力部と、出力部の出力態様を調整するために使用者により操作される操作部と、操作部の操作により出力部の出力態様が調整された場合に出力部の出力態様を調整された状態に維持する第１のモードと、出力部の出力態様が操作部の操作により調整された場合に出力部の出力態様を所定時間経過後に予め定められた状態に移行させる第２のモードとに出力部を選択的に制御する制御部と、情報を記憶する記憶媒体が着脱自在に取り付けられる記憶媒体取り付け部とを備え、制御部は、出力部が第１のモードに設定されている場合に、第１および第２のモードの選択のための情報を記憶する記憶媒体が記憶媒体取り付け部に取り付けられたときに、第１および第２のモードのうち一方の選択を使用者に促す選択映像を出力部により出力させ、使用者により第２のモードが選択された場合に出力部を第２のモードに設定するものである。
【００１５】
この表示装置においては、少なくとも映像を出力する出力部が、制御部により第１のモードと第２のモードとに選択的に制御される。第１のモードでは、使用者が操作部を操作して出力部の出力態様を調整した場合、出力部の出力態様が調整された状態で維持される。第２のモードでは、使用者が操作部を操作して出力部の出力態様を調整した場合、出力部の出力態様が所定時間経過後に予め定められた状態に移行する。
【００１６】
一般家庭等においては、出力部が第１のモードに設定されることにより、出力部の出力態様が使用者の嗜好および使用環境に応じて調整された状態で維持される。一方、販売店等においては、出力部が第２のモードに設定されることにより、顧客等によって出力部の出力態様が調整されても、所定時間の経過後に出力部の出力態様が予め定められた適切な状態に移行する。この場合、商品の特性および魅力を顧客等に十分に伝えることが可能になる。
【００１７】
出力部が第１のモードに設定されている場合に、販売店等において、第１および第２のモードの選択のための情報を記憶する記憶媒体が記憶媒体取り付け部に取り付けられると、第１および第２のモードのうち一方の選択を店員等の使用者に促す選択映像が出力部により出力される。この選択映像において、店員等の使用者が第２のモードを選択すると、出力部が制御部により第２のモードに設定される。
【００１８】
このように、簡単な操作で出力部を第１のモードから第２のモードに切り替えることができる。したがって、販売店等において、出力部を第２のモードに設定するための時間および労力を大幅に削減することができる。
【００１９】
（２）記憶媒体は、メモリカードを含んでもよい。この場合、記憶媒体がコンパクトになり、取り扱いが容易となる。
【００２０】
（３）本発明の他の局面に従う表示装置は、少なくとも映像を出力する出力部と、出力部の出力態様を調整するために使用者により操作される操作部と、操作部の操作により出力部の出力態様が調整された場合に出力部の出力態様を調整された状態に維持する第１のモードと、出力部の出力態様が操作部の操作により調整された場合に出力部の出力態様を所定時間経過後に予め定められた状態に移行させる第２のモードとに出力部を選択的に制御する制御部と、電力の供給を検出する電力供給検出部とを備え、制御部は、出力部が第２のモードに設定されている場合に、電力供給検出部が電力の供給を検出したときに、第１および第２のモードのうち一方の選択を使用者に促す選択映像を出力部により出力させ、使用者により第１のモードが選択された場合に出力部を第１のモードに設定するものである。
【００２１】
この表示装置においては、少なくとも映像を出力する出力部が、制御部により第１のモードと第２のモードとに選択的に制御される。第１のモードでは、使用者が操作部を操作して出力部の出力態様を調整した場合、出力部の出力態様が調整された状態で維持される。第２のモードでは、使用者が操作部を操作して出力部の出力態様を調整した場合、出力部の出力態様が所定時間経過後に予め定められた状態に移行する。
【００２２】
一般家庭等においては、出力部が第１のモードに設定されることにより、出力部の出力態様が使用者の嗜好および使用環境に応じて調整された状態で維持される。一方、販売店等においては、出力部が第２のモードに設定されることにより、顧客等によって出力部の出力態様が調整されても、所定時間の経過後に出力部の出力態様が予め定められた適切な状態に移行する。この場合、商品の特性および魅力を顧客等に十分に伝えることが可能になる。
【００２３】
出力部が第２のモードに設定されている場合に、一般家庭等において、表示装置への電力の供給が電力供給検出部により検出されると、第１および第２のモードのうち一方の選択を使用者に促す選択映像が出力部により出力される。この選択映像において、使用者が第１のモードを選択すると、出力部が制御部により第１のモードに設定される。
【００２４】
この場合、出力部が誤って第２のモードに設定された状態で表示装置が顧客等に納品されても、顧客等の使用者が最初に電源プラグを電源のコンセントに差し込んだときに、簡単かつ確実に出力部を第２のモードから第１のモードに切り替えることができる。
【００２５】
（４）制御部は、選択映像を出力部により出力させた後に予め定められた時間内に使用者による選択が行われない場合に、選択映像の出力を終了するとともに出力部を第２のモードに設定してもよい。
【００２６】
この場合、販売店等において、店員等がブレーカ等により一斉に表示装置への電力の供給を開始した際に選択映像が出力されても、第１および第２のモードのいずれも選択せずにそのまま放置することにより第２のモードを維持することができる。したがって、販売店等における店員等の負担が軽減される。
【００２７】
（５）本発明のさらに他の局面に従う表示装置は、少なくとも映像を出力する出力部と、出力部の出力態様を調整するために使用者により操作される操作部と、操作部の操作により出力部の出力態様が調整された場合に出力部の出力態様を調整された状態に維持する第１のモードと、出力部の出力態様が操作部の操作により調整された場合に出力部の出力態様を所定時間経過後に予め定められた状態に移行させる第２のモードと、第１および第２のモードのうち一方の選択を使用者に促すための第３のモードに出力部を選択的に制御する制御部と、電力の供給を検出する電力供給検出部とを備え、制御部は、出力部が第３のモードに設定されている場合に、電力供給検出部が電力の供給を検出したときに、第１および第２のモードのうち一方の選択を使用者に促す選択映像を出力部により出力させ、使用者による選択に基づいて出力部を第１および第２のモードのうち一方に設定するものである。
【００２８】
この表示装置においては、少なくとも映像を出力する出力部が、制御部により第１〜第３のモードに選択的に制御される。
【００２９】
出力部が第３のモードに設定されている場合に、電力供給検出部が電力の供給を検出すると、第１および第２のモードのうち一方の選択を使用者に促す選択映像が出力部により出力される。この選択映像において、使用者が第１または第２のモードを選択する。それにより、出力部が制御部によって第１または第２のモードに設定される。
【００３０】
この場合、例えば工場からの出荷時に出力部が第３のモードに設定されることにより、一般家庭または販売店等において初めて電力が供給されたときに選択映像が出力される。そのため、使用者が用途に応じて第１または第２のモードの選択および設定を容易かつ確実に行うことができる。
【００３１】
第１のモードでは、使用者が操作部を操作して出力部の出力態様を調整した場合、出力部の出力態様が調整された状態で維持される。第２のモードでは、使用者が操作部を操作して出力部の出力態様を調整した場合、出力部の出力態様が所定時間経過後に予め定められた状態に移行する。
【００３２】
一般家庭等においては、出力部が第１のモードに設定されることにより、出力部の出力態様が使用者の嗜好および使用環境に応じて調整された状態で維持される。一方、販売店等においては、出力部が第２のモードに設定されることにより、顧客等によって出力部の出力態様が調整されても、所定時間の経過後に出力部の出力態様が予め定められた適切な状態に移行する。この場合、商品の特性および魅力を顧客等に十分に伝えることが可能になる。
【００３３】
（６）制御部は、使用者により第１および第２のモードのいずれかに選択が行われるまで選択映像を継続して出力部に出力させてもよい。
【００３４】
この場合、時間の経過等によって出力部が自動的に第１または第２のモードに設定されることがなく、確実に使用者の選択によって出力部が第１または第２のモードに設定される。それにより誤ったモードに設定される可能性が著しく低くなる。
【００３５】
（７）出力部は、映像を表示する映像表示部を含み、出力部の出力態様は、映像表示部の画面に関する状態および映像表示に関する状態を含んでもよい。
【００３６】
この場合、第１のモードでは、使用者が操作部を操作して映像表示部の画面に関する状態または映像表示に関する状態を調整した場合、映像表示部の画面に関する状態および映像表示に関する状態が調整された状態で維持される。第２のモードでは、使用者が操作部を操作して映像表示部の画面に関する状態または映像表示に関する状態を調整した場合、映像表示部の画面に関する状態および映像表示に関する状態が所定時間経過後に予め定められた状態に移行する。
【００３７】
（８）出力部は、音声を出力する音声出力部を含み、出力部の出力態様は、音声出力部の音声出力の状態を含んでもよい。
【００３８】
この場合、第１のモードでは、使用者が操作部を操作して音声出力部の音声出力の状態を調整した場合、音声出力部の音声出力の状態が調整された状態で維持される。第２のモードでは、使用者が操作部を操作して音声出力部の音声出力の状態を調整した場合、音声出力部の音声出力の状態が所定時間経過後に予め定められた状態に移行する。
【００３９】
（９）本発明のさらに他の局面に従う表示装置の制御方法は、出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、出力部が第１のモードに設定されている場合に、第１および第２のモードの選択のための情報を記憶する記憶媒体が記憶媒体取り付け部に取り付けられたときに、第１および第２のモードのうち一方の選択を使用者に促す選択映像を出力部により出力させるステップと、使用者により第２のモードが選択された場合に出力部を第２のモードに設定するステップと備えるものである。
【００４０】
この表示装置の制御方法においては、出力部が第１のモードに設定されている場合に、販売店等において、第１および第２のモードの選択のための情報を記憶する記憶媒体が記憶媒体取り付け部に取り付けられると、第１および第２のモードのうち一方の選択を店員等の使用者に促す選択映像が出力部により出力される。この選択映像において、店員等の使用者が第２のモードを選択すると、出力部が第２のモードに設定される。
【００４１】
このように、簡単な操作で出力部を第１のモードから第２のモードに切り替えることができる。したがって、販売店等において、出力部を第２のモードに設定するための時間および労力を大幅に削減することができる。
【００４２】
（１０）本発明のさらに他の局面に従う表示装置の制御方法は、出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、出力部が第２のモードに設定されている場合に、電力の供給が検出されたときに、第１および第２のモードのうち一方の選択を使用者に促す選択映像を出力部により出力させるステップと、使用者により第１のモードが選択された場合に出力部を第１のモードに設定するステップとを備えるものである。
【００４３】
この表示装置の制御方法においては、出力部が第２のモードに設定されている場合に、一般家庭等において、表示装置への電力の供給が検出されると、第１および第２のモードのうち一方の選択を使用者に促す選択映像が出力部により出力される。この選択映像において、使用者が第１のモードを選択すると、出力部が第１のモードに設定される。
【００４４】
この場合、出力部が誤って第２のモードに設定された状態で表示装置が顧客等に納品されても、顧客等の使用者が最初に電源プラグを電源のコンセントに差し込んだときに、簡単かつ確実に出力部を第２のモードから第１のモードに切り替えることができる。
【００４５】
（１１）本発明のさらに他の局面に従う表示装置の制御方法は、出力部の出力態様が調整された場合に出力態様を調整された状態に維持する第１のモードと、出力部の出力態様が調整された場合に出力態様を所定時間経過後に予め定められた状態に移行させる第２のモードと、前記第１および第２のモードのうち一方の選択を使用者に促すための第３のモードとを有する表示装置の制御方法であって、前記出力部が前記第３のモードに設定されている場合に、電力の供給が検出されたときに、前記第１および第２のモードのうち一方の選択を使用者に促す選択映像を前記出力部により出力させるステップと、使用者による選択に基づいて前記出力部を前記第１および第２のモードのうち一方に設定するステップとを備えるものである。
【００４６】
この表示装置の制御方法においては、出力部が第３のモードに設定されている場合に、表示装置への電力の供給が検出されると、第１および第２のモードのうち一方の選択を使用者に促す選択映像が出力部により出力される。この選択映像において、使用者が第１または第２のモードを選択する。それにより、出力部が第１または第２のモードに設定される。
【００４７】
この場合、例えば工場からの出荷時に出力部が第３のモードに設定されることにより、一般家庭または販売店等において初めて電力が供給されたときに選択映像が出力される。そのため、使用者が用途に応じて第１または第２のモードの選択および設定を容易かつ確実に行うことができる。
【発明の効果】
【００４８】
本発明によれば、簡単な操作で出力部を第１のモードから第２のモードに切り替えることができる。したがって、販売店等において、出力部を第２のモードに設定するための時間および労力を大幅に削減することができる。
【００４９】
また、出力部が誤って第２のモードに設定された状態で表示装置が顧客等に納品されても、顧客等の使用者が最初に電源プラグを電源のコンセントに差し込んだときに、簡単かつ確実に出力部を第２のモードから第１のモードに切り替えることができる。
【００５０】
また、一般家庭または販売店等において初めて電力が供給されたときに、使用者が用途に応じて第１または第２のモードの選択および設定を容易かつ確実に行うことができる。
【図面の簡単な説明】
【００５１】
【図１】図１は本実施の形態に係るテレビジョン受像機の構成を示すブロック図
【図２】図２は店頭モード設定画面の一例を示す図
【図３】図３はシステム制御部による店頭モード設定処理を示すフローチャート
【図４】図４は店頭モード解除確認画面の一例を示す図
【図５】図５はシステム制御部による店頭モード解除処理を示すフローチャート
【図６】図６はモード選択画面の一例を示す図
【図７】図７はシステム制御部による動作モード選択処理を示すフローチャート
【図８】図８はシステム制御部による動作モード選択処理を示すフローチャート
【発明を実施するための形態】
【００５２】
以下、本発明の実施の形態に係る表示装置の一例として、テレビジョン受像機について図面を参照しながら説明する。
【００５３】
（１）第１の実施の形態
（１−１）テレビジョン受像機の構成
図１は、本実施の形態に係るテレビジョン受像機の構成を示すブロック図である。図１に示すように、テレビジョン受像機１００は、チューナ１、音声出力部２、映像表示部３、電力供給検出部５、リモコン受信部６、カード挿入部７、カード挿入検出部８、カード情報検出部９、タイマ１０、システムメモリ１１、店頭モード実行部１２、ＯＳＤ処理部１３およびシステム制御部５０を備える。
【００５４】
チューナ１は、後述するシステム制御部５０からの制御に基づき、放送局から送信されるテレビジョン放送信号（例えばデジタル放送信号）の周波数を選択することにより選局を行う。また、チューナ１は、選局したテレビジョン放送信号から映像信号および音声信号を復調および復号して出力する。
【００５５】
音声出力部２は、音声スピーカ等を含み、チューナ１から出力された音声信号に基づいて音声を出力する。映像表示部３は、液晶ディスプレイまたはプラズマディスプレイパネル等の表示パネルを含み、チューナ１から出力された映像信号に基づいて画面に映像を出力する。
【００５６】
電力供給検出部５は、ＡＣ電源からの電力の供給を検出し、その検出結果を検出信号として出力する。例えば、図示しない電源プラグをＡＣ電源のコンセントに差し込むことによりテレビジョン受像機１００に電力が供給される。リモコン受信部６は、リモコン６ａからの赤外線信号を受信し、赤外線信号に基づく操作信号を出力する。
【００５７】
カード挿入部７には、ＳＤ(Secure Digital Memory)カード等のメモリカード７ａが挿入される。本実施の形態で用いられるメモリカード７ａには、後述の店頭モード設定処理のトリガとなる情報（以下、トリガ情報と呼ぶ）が記憶される。
【００５８】
カード挿入検出部８は、カード挿入部７にメモリカード７ａが挿入されているか否かを検出し、その検出結果を検出信号として出力する。カード情報検出部９は、カード挿入部７に挿入されたメモリカード７ａに記憶される情報を検出し、その検出結果を検出信号として出力する。
【００５９】
タイマ１０は、システム制御部５０による制御に従って動作し、所定の時点からの経過時間を計測する。システムメモリ１１は、テレビジョン受像機１００の動作モードに関する種々の情報（以下、動作モード情報と呼ぶ）を記憶する。後述のように、テレビジョン受像機１００は動作モードとして店頭モードと通常モードとを有する。
【００６０】
店頭モード実行部１２は、テレビジョン受像機１００の動作モードが店頭モードである場合に、タイマ１０による計測値およびシステムメモリ１１に記憶された動作モード情報に基づいてチューナ１、音声出力部２および映像表示部３に所定の処理を行う。詳細は後述する。
【００６１】
ＯＳＤ処理部１３は、システム制御部５０による制御にしたがって、映像表示部３の画面にオンスクリーン表示（ＯＳＤ）を行う。
【００６２】
システム制御部５０は、ＣＰＵ（中央演算処理装置）およびメモリ等からなり、テレビジョン受像機１００の各機能部を制御する。本実施の形態では、トリガ情報が記憶されたメモリカード７ａがカード挿入部７に挿入されると、システム制御部５０が後述の店頭モード設定処理を行う。この場合、システム制御部５０は、カード挿入検出部８からの検出信号、カード情報検出部９からの検出信号およびリモコン受信部６からの操作信号に基づいて、店頭モード実行部１２およびＯＳＤ処理部１３を制御する。
【００６３】
また、電力供給検出部５がテレビジョン受像機１００への電力の供給を検出すると、システム制御部５０は後述の店頭モード解除処理を行う。この場合、システム制御部５０は、電力供給検出部５からの検出信号、リモコン受信部６からの操作信号およびタイマ１０による計測値に基づいて、店頭モード実行部１２およびＯＳＤ処理部１３を制御する。
【００６４】
（１−２）テレビジョン受像機の動作モード
ここで、テレビジョン受像機１００の動作モードについて説明する。上記のように、テレビジョン受像機１００は、動作モードとして、店頭モードと通常モードとを有する。
【００６５】
通常モードでは、使用者によりリモコン６ａを用いて設定された映像表示部３の表示状態および音声出力部２の出力状態が維持される。ここで、映像表示部３の表示状態とは、画面のコントラスト、輝度、鮮明度等の画面に関する状態、および画面に表示されるべき映像のチャンネル、受信信号の種類等の映像表示に関する状態を含む。また、音声出力部２の出力状態とは、音量、音質、ミュート（無音状態）等の音声出力に関する状態を含む。以下、映像表示部３の表示状態および音声出力部２の出力状態を出力態様と呼ぶ。
【００６６】
店頭モードでは、出力態様がテレビジョン受像機１００の店頭での展示に適した特定の状態に設定され、使用者により出力態様が調整された場合には規定時間（例えば５分）の経過後に出力態様が特定の状態に復帰する。
【００６７】
なお、上記の規定時間（以下、復帰間隔と呼ぶ）、ならびに上記の出力態様の特定の状態（以下、復帰状態と呼ぶ）は、システムメモリ１１に動作モード情報として記憶される。また、システムメモリ１１には、動作モード情報としてテレビジョン受像機１００の現在の動作モードも記憶される。
【００６８】
以下、通常モードから店頭モードへの切替方法および店頭モードから通常モードへの切替方法について説明する。
【００６９】
（１−３）通常モードから店頭モードへの切替
テレビジョン受像機１００の動作モードが通常モードである場合、トリガ情報が記憶されたメモリカード７ａがカード挿入部７に挿入されると、映像表示部３に店頭モード設定画面が表示される。使用者は、リモコン６ａの操作により店頭モード設定画面上で各種選択および設定を行う。
【００７０】
図２は、店頭モード設定画面の一例を示す図である。図２に示すように、店頭モード設定画面Ｄ１は、オンオフ選択部２１、受信信号設定部２２、チャンネル設定部２３、音量設定部２４、および復帰間隔設定部２５から構成される。
【００７１】
使用者は、オンオフ選択部２１においてテレビジョン受像機１００の動作モードを店頭モードにするか否かを選択する。オンオフ選択部２１においてオンが選択されると、テレビジョン受像機１００の動作モードが通常モードから店頭モードに切り替わり、オフが選択されると通常モードに維持される。
【００７２】
また、使用者は、出力態様の復帰状態として、受信信号設定部２２において受信信号の種類を設定し、チャンネル設定部２３においてチャンネルを設定し、音量設定部２４において音量を設定する。また、使用者は、復帰間隔設定部２５において復帰間隔を設定する。これらの各設定を完了すると、使用者は、例えばリモコン６ａのＥｘｉｔキーまたはＲｅｔｕｒｎキーを押下することにより店頭モード表示画面Ｄ１の表示を終了させる。なお、例えばリモコン６ａの操作により、選局が行われた場合、入力切換が行われた場合、またはメニュー等の他のＯＳＤ画面が表示された場合にも店頭モード設定画面Ｄ１の表示が終了する。
【００７３】
図２の例においては、受信信号の種類がＲＦ信号に設定され、チャンネルが１０１−１に設定され、音量が２０に設定され、復帰間隔が５分に設定されている。
【００７４】
なお、図２の例では、店頭モード設定画面Ｄ１において受信信号の種類、チャンネルならびに音量が設定されるが、画面のコントラスト等の他の復帰状態が店頭モード設定画面Ｄ１において設定されてもよい。
【００７５】
図３は、システム制御部５０による店頭モード設定処理を示すフローチャートである。図３に示すように、まず、システム制御部５０はカード挿入検出部８からの検出信号に基づいてカード挿入部７にメモリカード７ａが挿入されたか否かを判定する（ステップＳ１）。カード挿入部７にメモリカード７ａが挿入されていない場合、システム制御部５０は、ステップＳ１の処理を繰り返す。
【００７６】
カード挿入部７にメモリカード７ａが挿入された場合、システム制御部５０は、カード情報検出部９からの検出信号に基づいて、挿入されたメモリカード７ａにトリガ情報が記憶されているか否かを判定する（ステップＳ２）。
【００７７】
メモリカード７ａにトリガ情報が記憶されていない場合、システム制御部５０は、店頭モード設定処理を終了する。メモリカード７ａにトリガ情報が記憶されている場合、システム制御部５０は、システムメモリ１１に記憶されている動作モード情報に基づいて、現在の動作モードが店頭モードであるか否かを判定する（ステップＳ３）。
【００７８】
現在の動作モードが店頭モードである場合、システム制御部５０は、動作モードを店頭モードに維持して店頭モード設定処理を終了する。現在の動作モードが通常モードである場合、システム制御部５０は、ＯＳＤ処理部１３を制御することにより、映像表示部３に図２の店頭モード設定画面Ｄ１を表示する（ステップＳ４）。
【００７９】
続いて、システム制御部５０は、店頭モード設定画面Ｄ１の表示を終了させるための操作が行われたか否かを判定する（ステップＳ５）。店頭モード設定画面Ｄ１の表示を終了させるための操作とは、上記のように、例えばリモコン６ａのＥｘｉｔキーまたはＲｅｔｕｒｎキーの押下、選局、入力切換、またはメニュー等の他のＯＳＤ画面の表示等の操作をいう。店頭モード設定画面Ｄ１の表示を終了させるための操作が行われていない場合、システム制御部５０は、ステップＳ５の処理を繰り返す。
【００８０】
店頭モード設定画面Ｄ１の表示を終了させるための操作が行われた場合、システム制御部５０は、店頭モード設定画面Ｄ１のオンオフ選択部２１においてオンが選択されたか否かを判定する（ステップＳ６）。オンオフ選択部２１においてオンが選択されていない場合、すなわちオフが選択された場合、システム制御部５０は、動作モードを通常モードに維持して店頭モード設定処理を終了する。オンオフ選択部２１においてオンが選択された場合、システム制御部５０は、動作モードを店頭モードに切り替える（ステップＳ７）。すなわち、システム制御部５０は、システムメモリ１１に記憶される現在の動作モードを店頭モードに更新するとともに、店頭モード設定画面Ｄ１において設定された受信信号の種類、チャンネル、音量、および復帰間隔をシステムメモリ１１に記憶させる。そして、システム制御部５０は店頭モード設定処理を終了する。
【００８１】
（１−４）店頭モードから通常モードへの切り替え
テレビジョン受像機１００の動作モードが店頭モードである場合、電力供給検出部５がテレビジョン受像機１００への電力の供給を検出すると、映像表示部３に店頭モード解除確認画面が表示される。使用者は、リモコン６ａの操作により店頭モード解除確認画面上で各種選択および設定を行う。
【００８２】
図４は、店頭モード解除確認画面の一例を示す図である。図４に示すように、店頭モード解除確認画面Ｄ２は、オンボタン３１およびオフボタン３２を含む。この店頭モード解除確認画面Ｄ２において、使用者がオンボタン３１を選択すると、動作モードが店頭モードに維持され、使用者がオフボタン３２を選択すると、動作モードが通常モードに切り替わる。なお、オンボタン３１またはオフボタン３２の選択は、例えば使用者がリモコン６ａのＯＫキーを押下することにより確定する。
【００８３】
なお、使用者がオンボタン３１およびオフボタン３２のいずれも選択せずに放置すると、自動的に店頭モード解除確認画面Ｄ２が閉じられる。この場合、動作モードが店頭モードで維持される。
【００８４】
図５は、システム制御部５０による店頭モード解除処理を示すフローチャートである。図５に示す店頭モード解除処理は、電力供給検出部５がテレビジョン受像機１００への電力の供給を検出したときに開始される。
【００８５】
電力供給検出部５がテレビジョン受像機１００への電力の供給を検出した場合、システム制御部５０は、システムメモリ１１に記憶されている動作モード情報に基づいて、現在の動作モードが店頭モードであるか否かを判定する（ステップＳ１１）。現在の動作モードが店頭モードでない場合、システム制御部５０は、動作モードを通常モードに維持して店頭モード解除処理を終了する。現在の動作モードが店頭モードである場合、システム制御部５０は、ＯＳＤ処理部１３を制御することにより、映像表示部３に図４の店頭モード解除確認画面Ｄ２を表示する（ステップＳ１２）。
【００８６】
続いて、システム制御部５０は、店頭モード解除確認画面Ｄ２においてオンボタン３１が選択された状態でリモコン６ａのＯＫキーが押下されたか否かを判定する（ステップＳ１３）。オンボタン３１が選択された状態でリモコン６ａのＯＫキーが押下された場合、システム制御部５０は、動作モードを店頭モードに維持して店頭モード解除処理を終了する。オンボタン３１が選択された状態でリモコン６ａのＯＫキーが押下されていない場合、システム制御部５０は、オフボタン３２が選択された状態でリモコン６ａのＯＫキーが押下されたか否かを判定する（ステップＳ１４）。オフボタン３２が選択された状態でリモコン６ａのＯＫキーが押下された場合、システム制御部５０は、動作モードを通常モードに切り替える（ステップＳ１５）。すなわち、システム制御部５０は、システムメモリ１１に記憶される現在の動作モードを通常モードに更新する。そして、システム制御部５０は店頭モード解除処理を終了する。
【００８７】
リモコン６ａのＯＫキーが押下されていない場合、システム制御部５０は、タイマ１０による計測値に基づいて、店頭モード解除確認画面Ｄ２を表示してから規定時間（例えば３０秒）が経過したか否かを判定する（ステップＳ１６）。なお、この規定時間は例えばシステムメモリ１１に予め記憶される。
【００８８】
規定時間が経過していない場合、システム制御部５０は、ステップＳ１３の処理に戻る。規定時間が経過した場合、システム制御部５０は、動作モードを店頭モードに維持したまま店頭モード解除確認画面Ｄ２を閉じるとともに、店頭モード解除処理を終了する。
【００８９】
（１−５）本実施の形態の効果
本実施の形態では、メモリカード７ａをカード挿入部７に挿入するとともに、映像出力部３に表示される店頭モード設定画面Ｄ１のオンオフ選択部２１でオンを選択することより、テレビジョン受像機１００の動作モードを通常モードから店頭モードに切り替えることができる。この場合、簡単な操作でテレビジョン受像機１００の動作モードを店頭モードに切り替えることができるので、販売店等において、店頭モードへの切替のための時間および労力を大幅に削減することができる。
【００９０】
また、本実施の形態では、テレビジョン受像機１００への電力の供給が検出されたときに、テレビジョン受像機１００の現在の動作モードが店頭モードであれば、通常モードへ切り替えるか否かを確認するための店頭モード解除確認画面Ｄ２が映像出力部３に表示される。そのため、誤って店頭モードに設定された状態のテレビジョン受像機１００が顧客に納品されても、顧客が最初に電源プラグをＡＣ電源のコンセントに差し込んだときに、店頭モード解除確認画面Ｄ２が映像出力部３に表示される。それにより、顧客が簡単かつ確実にテレビジョン受像機１００の動作モードを店頭モードから通常モードに切り替えることができる。したがって、顧客が店頭モードに設定されていることを知らずにテレビジョン受像機１００を使用することが防止される。
【００９１】
また、店頭モード解除確認画面Ｄ２が表示された場合、規定時間内に使用者が動作モードを通常モードに切り替えるか否かを選択しない場合には、動作モードが店頭モードに維持されたままで店頭モード解除確認画面Ｄ２が閉じられる。そのため、販売店等において、テレビジョン受像機１００の動作モードを継続的に店頭モードに設定する場合には、電力の供給を検出することにより店頭モード解除確認画面Ｄ２が表示されても、何も操作を行わずにそのまま放置することにより店頭モードが維持される。したがって、販売店等の店員の負担が軽減される。
【００９２】
また、動作モードを店頭モードから通常モードに切り替えるためには、少なくともテレビジョン受像機１００への電力の供給を一旦停止する必要がある。そのため、販売店等において、販売の妨害等を目的として動作モードが店頭モードから通常モードに勝手に切り替えられることが防止される。
【００９３】
（２）第２の実施の形態
次に、本発明の第２の実施の形態について上記第１の実施の形態と異なる点を説明する。本実施の形態では、工場からの出荷時に、テレビジョン受像機１００が出荷モードに設定される。そして、販売店または一般家庭等においてテレビジョン受像機１００に初めて電力が供給されたときに、システム制御部５０により後述の動作モード選択処理が行われる。電力の供給時にテレビジョン受像機１００が出荷モードまたは動作モードであると、映像表示部３にモード選択画面が表示される。使用者は、リモコン６ａ等の操作により、モード選択画面上でテレビジョン受像機１００の動作モードの選択を行う。
【００９４】
図６は、モード選択画面の一例を示す図である。図６に示すように、モード選択画面Ｄ３は、“ＨＯＭＥ”ボタン４１および“ＳＴＯＲＥ”ボタン４２を含む。このモード選択画面Ｄ３上において、使用者が“ＨＯＭＥ”ボタン４１および“ＳＴＯＲＥ”ボタン４２のいずれかを選択する。それにより、テレビジョン受像機１００の動作モードが通常モードまたは店頭モードに選択される。
【００９５】
図７〜図８は、システム制御部５０による動作モード選択処理を示すフローチャートである。
【００９６】
図７に示すように、テレビジョン受像機１００に電力が供給されたことを電力供給検出部５が検出すると、システム制御部５０は、システムメモリ１１に記憶されている動作モード情報に基づいて、動作モードが出荷モードであるか否かを判定する（ステップＳ２１，Ｓ２２）。
【００９７】
動作モードが出荷モードでない場合、システム制御部５０は、後述のステップＳ３３の処理を行う。動作モードが出荷モードである場合、システム制御部５０は、映像表示部３に図６のモード選択画面Ｄ３を表示する（ステップＳ２３）。
【００９８】
続いて、システム制御部５０は、モード選択画面Ｄ３上で“ＨＯＭＥ”ボタン４１が選択されたか否かを判定する（ステップＳ２４）。“ＨＯＭＥ”ボタン４１が選択された場合、システム制御部５０は、後述のステップＳ３０の処理を行う。
【００９９】
“ＨＯＭＥ”ボタン４１が選択されていない場合、システム制御部５０は、“ＳＴＯＲＥ”ボタン４２が選択されたか否かを判定する（ステップＳ２５）。
【０１００】
“ＳＴＯＲＥ”ボタン４２が選択されていない場合、システム制御部５０はステップＳ２４およびステップＳ２５の処理を繰り返す。すなわち、 “ＨＯＭＥ”ボタン４１および“ＳＴＯＲＥ”ボタン４２のいずれかが選択されるまで、システム制御部５０は継続してモード選択画面Ｄ３を表示する。
【０１０１】
“ＳＴＯＲＥ”ボタン４２が選択された場合、システム制御部５０は、映像表示部３に図２の店頭モード設定画面Ｄ１を表示する（ステップＳ２６）。店頭モード設定画面Ｄ１上では、上記のように、使用者が店頭モードのオンオフの選択および出力態様の復帰状態の設定等を行う。
【０１０２】
続いて、システム制御部５０は、店頭モード設定画面Ｄ１上で店頭モードが選択されたか否かを判定する（ステップＳ２７）。この場合、店頭モード設定画面Ｄ１のオンオフ選択部２１でオンが選択されると店頭モードが選択され、オフが選択されると通常モードが選択される。店頭モードが選択された場合、システム制御部５０は、動作モードを店頭モードに設定する（ステップＳ２８）。それにより、テレビジョン受像機１００が店頭モードとして動作する（ステップＳ２９）。
【０１０３】
ステップＳ２４で“ＨＯＭＥ”ボタン４１が選択された場合、またはステップＳ２７で通常モードが選択された場合、システム制御部５０は、動作モードを通常モードに設定する（ステップＳ３０）。続いて、システム制御部５０は、映像表示部３に通常モード用の初期設定画面（図示せず）を表示する（ステップＳ３１）。この初期設定画面上で、使用者は、言語の設定または視聴可能なチャンネルの周波数の自動検出（オートスキャン）等を行う。そして、テレビジョン受像機１００が通常モードとして動作する（ステップＳ３２）。
【０１０４】
ステップＳ２２で動作モードが出荷モードでない場合、図８に示すように、システム制御部５０は、動作モードが店頭モードであるか否かを判定する（ステップＳ３３）。動作モードが店頭モードでない場合、すなわち動作モードが通常モードである場合、テレビジョン受像機１００が通常モードとして継続して動作する（ステップＳ３２）。なお、通常モードから店頭モードへの切り替えは、例えば上記第１の実施の形態と同様に、メモリカード７ａを用いた操作により行うことができる。
【０１０５】
ステップＳ３３で動作モードが店頭モードである場合、システム制御部５０は、映像表示部３に図６のモード選択画面Ｄ３を表示する（ステップＳ３４）。続いて、システム制御部５０は、モード選択画面Ｄ３上で“ＨＯＭＥ”ボタン４１が選択されたか否かを判定する（ステップＳ３５）。“ＨＯＭＥ”ボタン４１が選択された場合、システム制御部５０は、ステップＳ３０〜Ｓ３２の処理を行う。
【０１０６】
“ＨＯＭＥ”ボタン４１が選択されていない場合、システム制御部５０は、“ＳＴＯＲＥ”ボタン４２が選択されたか否かを判定する（ステップＳ３６）。“ＳＴＯＲＥ”ボタン４２が選択された場合、システム制御部５０が動作モードを店頭モードに維持したままモード選択画面Ｄ３を閉じる。そして、テレビジョン受像機１００が店頭モードとして継続して動作する（ステップＳ２９）。
【０１０７】
なお、“ＳＴＯＲＥ”ボタン４２が選択された場合に、システム制御部５０がステップＳ２６の処理に戻り、映像表示部３に再度店頭モード設定画面Ｄ１を表示してもよい。
【０１０８】
“ＳＴＯＲＥ”ボタン４２が選択されていない場合、システム制御部５０は、タイマ１０による計測値に基づいて、モード選択画面Ｄ３を表示してから規定時間（例えば６０秒）が経過したか否かを判定する（ステップＳ３７）。なお、この規定時間は例えばシステムメモリ１１に予め記憶される。
【０１０９】
規定時間が経過していない場合、システム制御部５０は、ステップＳ３５およびステップＳ３６の処理に戻る。規定時間が経過した場合、システム制御部５０が動作モードを店頭モードに維持したままモード選択画面Ｄ３を閉じる。そして、テレビジョン受像機１００が店頭モードとして継続して動作する（ステップＳ２９）。
【０１１０】
本実施の形態のテレビジョン受像機１００においては、工場からの出荷時に動作モードが出荷モードに設定されると、初めて電力が供給されたときに、動作モードの選択を行うためのモード選択画面Ｄ３が映像表示部３に表示される。そのため、適正な動作モードの設定をより容易に行うことができる。特に、販売店等において店員が動作モードを店頭モードに設定することがより容易になる。
【０１１１】
また、最初の電力供給時に表示されるモード選択画面Ｄ３は、使用者によって“ＨＯＭＥ”ボタン４１および“ＳＴＯＲＥ”ボタン４２のいずれかが選択されるまで継続して表示される。すなわち、時間の経過によって自動的に動作モードの選択が行われることがない。それにより、誤った動作モードに設定される可能性が著しく低くなる。
【０１１２】
また、動作モードが店頭モードに設定されている状態では、一旦電力の供給が停止され、その後電力の供給が再開されると、その度に映像表示部３にモード選択画面Ｄ３が表示される。そのため、店頭モードに設定された状態のテレビジョン受像機１００が顧客に納品された場合、または顧客が誤って動作モードを店頭モードに設定した場合に、顧客が簡単かつ確実に動作モードを店頭モードから通常モードに切り替えることができる。
【０１１３】
（３）他の実施の形態
上記第１および第２の実施の形態において、動作モードが店頭モードに設定されると、電力の供給と同時にテレビジョン受像機１００の電源スイッチがオンするように設定してもよい。この場合、例えば販売店でブレーカを操作して複数のテレビジョン受像機１００に一斉に電力を供給する場合に、複数のテレビジョン受像機１００の電源スイッチを同時にオンすることができる。それにより、店員等の使用者の負担がより軽減される。
【０１１４】
また、上記第１および第２の実施の形態において、カード挿入部７にＬＥＤ（発光ダイオード）等の発光部を設け、動作モードが店頭モードに設定されると、その発光部が常時点灯または点滅するように設定してもよい。通常、このような発光部はメモリカード７ａが挿入されている場合しか点灯しない。そこで、店頭モードにおいてこのような発光部を常時点灯または点滅させることにより、テレビジョン受像機１００がメモリカード７ａを装着可能であることを顧客等の使用者に通知することができる。
【０１１５】
また、上記実施の形態では、本発明をテレビジョン受像機に適用した場合を示したが、これに限らず、本発明をパーソナルコンピュータのモニタ装置またはディスプレイ付ＤＶＤ（デジタルバーサタイルディスク）再生装置等の表示媒体を有する他の表示装置に適用してもよい。
【０１１６】
また、上記実施の形態では、着脱自在の記憶媒体としてメモリカード７ａを用いているが、これに限らず、ＤＶＤ、ＣＤ（コンパクトディスク）、ＩＣ（集積回路）カードまたはＩＣタグ等の他の記憶媒体を用いてもよい。
【０１１７】
また、カード情報検出部９、タイマ１０、システムメモリ１１、店頭モード実行部１２、ＯＳＤ処理部１３およびシステム制御部５０は、電子回路等のハードウェアにより実現してもよく、あるいはこれらの構成要素のうち一部または全てをＣＰＵ等のハードウェアとプログラム等のソフトウェアにより実現してもよい。
【０１１８】
（４）請求項の各構成要素と実施の形態の各要素との対応
以下、請求項の各構成要素と実施の形態の各要素との対応の例について説明するが、本発明は下記の例に限定されない。
【０１１９】
上記実施の形態では、音声出力部２および映像表示部３が出力部の例であり、リモコン６ａが操作部の例であり、通常モードが第１のモードの例であり、店頭モードが第２のモードの例であり、出荷モードが第３のモードの例であり、店頭モード実行部１２およびシステム制御部５０が制御部の例であり、カード挿入部７が記憶媒体取り付け部の例であり、メモリカード７ａが記憶媒体の例であり、電力供給検出部５が電力供給検出部の例である。
【０１２０】
請求項の各構成要素として、請求項に記載されている構成または機能を有する他の種々の要素を用いることもできる。
【産業上の利用可能性】
【０１２１】
本発明は、表示媒体を有する種々の表示装置に利用することができる。
【手続補正２】
【補正対象書類名】特許請求の範囲
【補正対象項目名】全文
【補正方法】変更
【補正の内容】
【特許請求の範囲】
【請求項１】
少なくとも映像を出力する出力部と、
前記出力部の出力態様を調整するために使用者により操作される操作部と、
前記操作部の操作により前記出力部の出力態様が調整された場合に前記出力部の出力態様を調整された状態に維持する第１のモードと、前記出力部の出力態様が前記操作部の操作により調整された場合に前記出力部の出力態様を所定時間経過後に予め定められた状態に移行させる第２のモードとに前記出力部を選択的に制御する制御部と、
情報を記憶する記憶媒体が着脱自在に取り付けられる記憶媒体取り付け部とを備え、
前記制御部は、
前記出力部が前記第１のモードに設定されている場合に、前記第１および第２のモードの選択のための情報を記憶する記憶媒体が前記記憶媒体取り付け部に取り付けられたときに、前記第１および第２のモードのうち一方の選択を使用者に促す選択映像を前記出力部により出力させ、使用者により前記第２のモードが選択された場合に前記出力部を前記第２のモードに設定する、表示装置。
【請求項２】
前記記憶媒体は、メモリカードを含む、請求項１記載の表示装置。
【請求項３】
少なくとも映像を出力する出力部と、
前記出力部の出力態様を調整するために使用者により操作される操作部と、
前記操作部の操作により前記出力部の出力態様が調整された場合に前記出力部の出力態様を調整された状態に維持する第１のモードと、前記出力部の出力態様が前記操作部の操作により調整された場合に前記出力部の出力態様を所定時間経過後に予め定められた状態に移行させる第２のモードとに前記出力部を選択的に制御する制御部と、
電力の供給を検出する電力供給検出部とを備え、
前記制御部は、
前記出力部が前記第２のモードに設定されている場合に、前記電力供給検出部が電力の供給を検出したときに、前記第１および第２のモードのうち一方の選択を使用者に促す選択映像を前記出力部により出力させ、使用者により前記第１のモードが選択された場合に前記出力部を前記第１のモードに設定する、表示装置。
【請求項４】
前記制御部は、前記選択映像を前記出力部により出力させた後に予め定められた時間内に使用者による選択が行われない場合に、前記選択映像の表示を終了するとともに前記出力部を前記第２のモードに設定する、請求項３記載の表示装置。
【請求項５】
少なくとも映像を出力する出力部と、
前記出力部の出力態様を調整するために使用者により操作される操作部と、
前記操作部の操作により前記出力部の出力態様が調整された場合に前記出力部の出力態様を調整された状態に維持する第１のモードと、前記出力部の出力態様が前記操作部の操作により調整された場合に前記出力部の出力態様を所定時間経過後に予め定められた状態に移行させる第２のモードと、前記第１および第２のモードのうち一方の選択を使用者に促すための第３のモードに前記出力部を選択的に制御する制御部と、
電力の供給を検出する電力供給検出部とを備え、
前記制御部は、
前記出力部が前記第３のモードに設定されている場合に、前記電力供給検出部が電力の供給を検出したときに、前記第１および第２のモードのうち一方の選択を使用者に促す選択映像を前記出力部により出力させ、使用者による選択に基づいて前記出力部を前記第１および第２のモードのうち一方に設定する、表示装置。
【請求項６】
前記制御部は、使用者により第１および第２のモードのいずれかに選択が行われるまで前記選択映像を継続して前記出力部に出力させる、請求項５記載の表示装置。
【請求項７】
前記出力部は、映像を表示する映像表示部を含み、
前記出力部の出力態様は、前記映像表示部の画面に関する状態および映像表示に関する状態を含む、請求項１、３または５記載の表示装置。
【請求項８】
前記出力部は、音声を出力する音声出力部を含み、
前記出力部の出力態様は、前記音声出力部の音声出力の状態を含む、請求項１、３または５記載の表示装置。
【請求項９】
出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、
前記出力部が前記第１のモードに設定されている場合に、前記第１および第２のモードの選択のための情報を記憶する記憶媒体が記憶媒体取り付け部に取り付けられたときに、前記第１および第２のモードのうち一方の選択を使用者に促す選択映像を前記出力部により出力させるステップと、
使用者により前記第２のモードが選択された場合に前記出力部を前記第２のモードに設定するステップとを備える、表示装置の制御方法。
【請求項１０】
出力部の出力態様が調整された場合に出力態様を調整された状態に維持する第１のモードと、出力部の出力態様が調整された場合に出力態様を所定時間経過後に予め定められた状態に移行させる第２のモードとを有する表示装置の制御方法であって、
前記出力部が前記第２のモードに設定されている場合に、電力の供給が検出されたときに、前記第１および第２のモードのうち一方の選択を使用者に促す選択映像を前記出力部により出力させるステップと、
使用者により前記第１のモードが選択された場合に前記出力部を前記第１のモードに設定するステップとを備える、表示装置の制御方法。
【請求項１１】
出力部の出力態様が調整された場合に出力態様を調整された状態に維持する第１のモードと、出力部の出力態様が調整された場合に出力態様を所定時間経過後に予め定められた状態に移行させる第２のモードと、前記第１および第２のモードのうち一方の選択を使用者に促すための第３のモードとを有する表示装置の制御方法であって、
前記出力部が前記第３のモードに設定されている場合に、電力の供給が検出されたときに、前記第１および第２のモードのうち一方の選択を使用者に促す選択映像を前記出力部により出力させるステップと、
使用者による選択に基づいて前記出力部を前記第１および第２のモードのうち一方に設定するステップとを備える、表示装置の制御方法。
【手続補正３】
【補正対象書類名】図面
【補正対象項目名】全図
【補正方法】変更
【補正の内容】
【図１】
2008105179.tif 000011
【図２】
2008105179.tif 000012
【図３】
2008105179.tif 000013
【図４】
2008105179.tif 000014
【図５】
2008105179.tif 000015
【図６】
2008105179.tif 000016
【図７】
2008105179.tif 000017
【図８】
2008105179.tif 000018
【国際調査報告】
2008105179.tif 000019
2008105179.tif 000020
2008105179.tif 000021
2008105179.tif 000022